(57)【要約】【課題】低音部から高音部に向かって次第に軽い鍵タッチとなるように、スイッチ部材を配置した鍵盤装置を搭載した電子楽器において、押鍵速度に応じて発生楽音の音量を適切に制御する。【解決手段】鍵番号ＫＮごとに、押鍵速度検出における時間計測値ＴＭ（ＫＮ）と発生楽音の音量の特性を音量変換テーブルとして予め記憶しておく。この音量変換テーブルは、鍵域の違いによって発生する押鍵速度ＶＥＬと時間計測値ＴＭ（ＫＮ）の差を是正するように調整されている。押鍵時には、音量変換テーブルを参照して各鍵２２の音量制御値ＶＯＬを求め、楽音発生回路１６を制御する。【選択図】図５
2010039104.tif 000002
【特許請求の範囲】
【請求項１】
押鍵に伴って回動する複数の鍵と、
前記複数の鍵にそれぞれ対応して設けられて押鍵によってそれぞれ弾性変形する複数のスイッチ部材であって、前記鍵の回動中心部からの距離が低音部から高音部に向かうに従って順次短くなる位置に設けられた複数のスイッチ部材と、
前記複数の鍵の押鍵に応答し、押鍵された鍵音高に対応した音高の楽音信号を発生する楽音信号発生手段とを備えた電子楽器において、
前記スイッチ部材を、各鍵ごとに少なくとも第１スイッチ及び第２スイッチにより構成しておき、
前記第１スイッチがオンしてから前記第２スイッチがオンするまでの時間を計測する計測手段と、
前記計測された時間が小さくなるに従って大きくなる、楽音信号の音量を表す音量制御値であって、前記計測された時間が同一である時間値に対して音高が高い鍵ほど大きくなる音量制御値に変換する変換手段と、
前記変換された音量制御値に応じて前記楽音信号発生手段にて発生される楽音信号の音量を制御する音量制御手段とを設けたことを特徴とする電子楽器。
【請求項２】
前記変換手段は、押鍵速度が同じであるとき、全鍵域において楽音信号の音量が同じになるように、前記計測された時間を音量制御値に変換することを特徴とする請求項１に記載の電子楽器。
【請求項３】
前記変換手段は、押鍵速度が同じであるとき、低音側の楽音信号の音量が高音側の楽音信号の音量に比べて小さくなるように、前記計測された時間を音量制御値に変換することを特徴とする請求項１に記載の電子楽器。
【発明の詳細な説明】
【技術分野】
【０００１】
本発明は、押鍵操作に応じて楽音信号を発生するとともに、発生する楽音信号の音量を押鍵速度に応じて変更する電子楽器に関する。
【背景技術】
【０００２】
従来から、例えば下記特許文献１に示されているように、鍵の回動中心からスイッチ部材までの距離が低音部から高音部に向かうに従って順次短くなる位置にスイッチ部材を配置することにより、低音部から高音部に向かうに従って押鍵反力を軽くして、アコースティックピアノに近似した鍵タッチ感を実現した鍵盤が知られている。
【特許文献１】特許第３０７４７９７号公報
【発明の開示】
【０００３】
一般に、電子楽器の鍵盤のスイッチ部材は第１スイッチ及び第２スイッチを有し、押鍵操作により順次オンする。そして、電子楽器は、第１スイッチと第２スイッチがオンする時間の差の大小で発生楽音の音量の大小を制御する。すなわち、時間差が小さければ、鍵が速く操作されていると判断できるため、発生楽音の音量を大きく制御し、時間差が大きければ、鍵がゆっくり操作されていると判断できるため、発生楽音の音量を小さく制御している。
【０００４】
しかし、上記の鍵盤のように、スイッチ部材の配置を鍵域によって異ならせた場合、第１スイッチがオンしてから第２スイッチがオンするまでの鍵前端の押下量は、スイッチ部材の位置が鍵の支点に近いほど（高音部ほど）大きくなる。そのため、各鍵の前端部の押下速度（以下、押鍵速度という。）を一定とした場合、低音部の押鍵操作と比較して、高音部の方が、第１スイッチがオンしてから第２スイッチがオンするまでの時間が長くなり、発生楽音の音量が小さくなる。このように、上記のような鍵盤を備えた電子楽器においては、同じ弾き方をしても、鍵域により発生楽音の音量が異なってしまうという問題があった。
【０００５】
前記目的を達成するため、本発明の特徴は、押鍵に伴って回動する複数の鍵と、複数の鍵にそれぞれ対応して設けられて押鍵によってそれぞれ弾性変形する複数のスイッチ部材であって、鍵の回動中心部からの距離が低音部から高音部に向かうに従って順次短くなる位置に設けられた複数のスイッチ部材と、複数の鍵の押鍵に応答し、押鍵された鍵音高に対応した音高の楽音信号を発生する楽音信号発生手段とを備えた電子楽器において、スイッチ部材を、各鍵ごとに少なくとも第１スイッチ及び第２スイッチにより構成しておき、第１スイッチがオンしてから第２スイッチがオンするまでの時間を計測する計測手段と、計測された時間が小さくなるに従って大きくなる、楽音信号の音量を表す音量制御値であって、計測された時間が同一である時間値に対して音高が高い鍵ほど大きくなる音量制御値に変換する変換手段と、変換された音量制御値に応じて楽音信号発生手段にて発生される楽音信号の音量を制御する音量制御手段とを設けたことにある。この場合、変換手段は、例えば、押鍵速度が同じであるとき、全鍵域において楽音信号の音量が同じになるように、前記計測された時間を音量制御値に変換するようにするとよい。
【０００６】
上記のように構成した電子楽器においては、変更手段が、鍵に応じて、時間計測値に対する音量制御値の変化特性を変更できるので、鍵盤のスイッチ部材の配置を鍵域によって異ならせても、全鍵域において、同一の押鍵速度に対して同一の音量の楽音信号を発生させることができる。
【０００７】
また、本発明の他の特徴は、変換手段は、押鍵速度が同じであるとき、低音側の楽音信号の音量が高音側の楽音信号の音量に比べて小さくなるように、前記計測された時間を音量制御値に変換するようにしたことにある。
【０００８】
上記のように構成した電子楽器においては、同一の押鍵速度であれば、高音側と比較して低音側の楽音信号の音量が小さくなるので、演奏者は高音側の鍵に比べて低音側の鍵の方がより重く感じる。これにより、アコースティックピアノの鍵タッチ感にさらに近づけることができる。
【発明を実施するための最良の形態】
【０００９】
以下、本発明の一実施形態について図面を用いて説明すると、図１は、本発明に係る電子楽器の全体ブロック図である。この電子楽器は、鍵盤１１、パネル操作子１２、ペダル操作子１３、操作子インターフェース回路１４、表示器１５、楽音信号発生回路１６、サウンドシステム１７、コンピュータ部１８、記憶装置１９及び外部インターフェース回路２０を備えている。
【００１０】
図２は、鍵盤１１の縦断側面図である。複数の鍵２２は所定数ずつ（例えば白鍵ならば３つ又は４つずつ、黒鍵ならば５つずつ）複数のグループに分けられている。各グループに属する鍵は、鍵ユニット２３として樹脂により一体成型されている。各鍵ユニット２３においては、複数の鍵２２が各鍵２２から後方にそれぞれ延設された垂直方向に薄肉の延設部２４をそれぞれ介して、横方向に延設されて垂直方向に薄肉の連結部２５に共通に接続されている。複数の鍵ユニット２３の連結部２５は、上下に重ねられて鍵フレーム２６の後端部にねじ２７により固定されている。この構成により、各鍵２２は、それらの前端部を延設部２４の変形により上下方向に揺動可能にして、連結部２５にて鍵フレーム２６に支持されている。そして、鍵２２の押鍵時には、鍵２２の前端部が鍵フレーム２６に設けた鍵ガイド（図示省略）に沿って下方に変位する。鍵２２の離鍵時には、延設部２４の弾性力により、鍵２２の前端部が上方へ復帰する。
【００１１】
鍵フレーム２６は、複数の鍵２２の下方にて横方向に延設されている。鍵フレーム２６は金属または樹脂の一体成型により、又は金属及び樹脂との複合により、適宜凹凸を有する板状に構成された部材である。鍵２２は、中間部位置にて、それらの下面からストッパ片２８を下方に一体的に延設させている。このストッパ片２８は、下部を後方へ屈曲させた突出部２８ａを有する。ストッパ片２８の突出部２８ａは、鍵フレーム２６の縦壁部に設けた開口部２９から後方へ侵入し、鍵２２の前部の上下方向の変位を許容する。開口部２９を含む縦壁部の上端から後方へ向かう水平部下面には、鍵２２の前端部の上限位置を規定する上限ストッパ３０が固着されている。一方、開口部２９を含む縦壁部の下端から前方へ向かう水平部上面には、鍵２２の前端部の下限位置を規定する下限ストッパ３１が固着されている。上限ストッパ３０及び下限ストッパ３１は、横方向（紙面に垂直方向）に延設された長尺状かつ平板状の緩衝材（例えばフェルト）で構成されて、鍵２２のストッパ片２８の突出部２８ａとの衝突による衝撃を緩和するようになっている。
【００１２】
鍵２２のストッパ片２８の後方位置には、スイッチ駆動部３２がそれぞれ設けられている。スイッチ駆動部３２の下方の鍵フレーム２６上には、横方向に延設されたプリント基板３３が固着されている。プリント基板３３上には、スイッチ部材３４が固着されている。ここで、スイッチ部材３４は図３に示すように、スイッチ部材３４の弾性による押鍵反力が低音部（図３において左側）から高音部（図３において右側）に向かうに従って順次軽くなるように、鍵２２の揺動中心（すなわち連結部２５）からスイッチ部材３４の中心部までの距離が低音部から高音部に向かうに従って順次短くなるように配置されている。
【００１３】
スイッチ部材３４は、ゴム、シリコンなどの弾性部材によって一体成型される。スイッチ部材３４は、図４に示すように、それぞれ板状のプレート３４ａと、鍵２２に対応して前後に配置した一対の第１スイッチ３４ｂ及び第２スイッチ３４ｃからなる。第１スイッチ３４ｂ及び第２スイッチ３４ｃは、共に同一の形状及び厚みを有し、それぞれ内部に空洞を有する半球状（いわゆる「おわん型」）に形成され、中央部に円柱状部分を上下に突出させている。円柱状部分の下面には電気接点がそれぞれ設けられ、同接点はプリント基板３３上に設けた一対の電気接点にそれぞれ対向している。また、第１スイッチ３４ｂの円柱状部分は、第２スイッチ３４ｃの円柱状部分よりも下方に長く形成されている。そして、鍵２２の押鍵に伴うスイッチ駆動部３２の下方への移動時に、最初に第１スイッチ３４ｂの電気接点と、プリント基板３３上の対向する電気接点とがそれぞれ接触（オン）し、次に第２スイッチ３４ｃの電気接点とプリント基板３３上の対向する電気接点とが接触（オン）するようになっている。また、離鍵時には、第２スイッチ３４ｃ、第１スイッチ３４ｂの順にそれぞれの電気接点が離間（オフ）する。
【００１４】
パネル操作子１２は、鍵盤１１の後方に位置する操作パネル上に設けられた複数の操作子からなる。これらの操作子は演奏者の手によって操作されるもので、発生される楽音信号の音色、音量、効果等の楽音特性を設定する操作子を含み、電子楽器全体の動作を設定するためのものである。これらの操作子には、オンオフ操作子に加えて、回転式操作子、スライド式操作子などの各種操作子が含まれる。また、パネル操作子１２にはオンオフ操作子に対応したスイッチ、回転式操作子に対応したボリューム又はロータリーエンコーダ、スライド式操作子に対応したボリューム又はリニアエンコーダなど、各操作子に対応した作動素子も含まれる。
【００１５】
ペダル操作子１３は、電子楽器の下部に位置して、演奏者の足によって操作されるもので、発生される楽音信号の音色、音量、効果などの楽音特性を設定する。これらの操作子には、オンオフ操作子に加えてスライド式操作子が含まれる。また、ペダル操作子１３には、オンオフ操作に対応したスイッチ、スライド式操作子に対応したボリューム又はリニアエンコーダなどの各操作子に対応した作動素子も含まれる。
【００１６】
鍵盤１１、パネル操作子１２及びペダル操作子１３は、バス３５に接続された操作子インターフェース回路１４に接続されている。そして、鍵盤１１、パネル操作子１２及びペダル操作子１３の操作を表す信号が、操作子インターフェース回路１４及びバス３５を介して後述するコンピュータ部１８に供給されるようになっている。表示器１５は、表示画面上に文字、図形などを表示するためのもので、液晶ディスプレイ（ＬＣＤ）によって構成されている。この表示器１５の表示は、バス３５を介してコンピュータ部１８によって制御される。
【００１７】
楽音信号発生回路１６は、鍵盤１１の演奏操作に応じたディジタル楽音信号を生成して、同ディジタル楽音信号に対応した楽音を、サウンドシステム１７を介して放音する。サウンドシステム１７は、ディジタル楽音信号をアナログ楽音信号にＤ／Ａ変換するＤ／Ａ変換器、変換したアナログ楽音信号を増幅するアンプ及び増幅されたアナログ楽音信号を音響信号に変換して出力するスピーカを備えている。
【００１８】
コンピュータ部１８は、バス３５にそれぞれ接続されたＣＰＵ１８ａ、タイマ１８ｂ、ＲＯＭ１８ｃ及びＲＡＭ１８ｄからなり、後述するプログラムを実行する。記憶装置１９は、ＨＤＤ、ＦＤＤ、ＣＤ−ＲＯＭ、ＭＯ、ＤＶＤなどの大容量の不揮発性記録媒体と、同各記録媒体に対するドライブユニットを含むものであり、後述するデータ及びプログラムの記憶及び読出しを可能にしている。これらのデータ及びプログラムは予め記憶装置１９に記憶されていてもよいし、外部インターフェース回路２０を介して外部から取り込んでもよい。
【００１９】
外部インターフェース回路２０は、ＭＩＤIインターフェース回路及び通信インターフェース回路を含んでおり、他の電子音楽装置、パーソナルコンピュータなどのＭＩＤＩ対応の外部機器に接続可能となっているとともに、インターネットなどの通信ネットワークに接続可能となっている。そして、各種プログラム及びデータが、ＭＩＤI対応の外部機器及びインターネットを介した各種サーバコンピュータから、外部インターフェース回路２０を介して入力可能となっている。
【００２０】
次に、上記のように構成した実施形態の動作について説明する。図示しない電源スイッチの投入により、コンピュータ部１８は図５の押離鍵処理プログラムの実行を開始する。そして、この押離鍵処理プログラムの実行中、パネル操作子１２及びペダル操作子１３が操作された場合には、図示しない楽音特性制御用の各種プログラムが実行される。
【００２１】
演奏者が、パネル操作子１２及びペダル操作子１３のいずれかの操作子を操作すると、コンピュータ部１８は図示しない楽音特性制御用のプログラムを実行する。この楽音特性制御用プログラムの実行により、コンピュータ部１８は、操作子の操作に応じて、発生される楽音信号の音色を指定する音色指定信号ＴＣ、同楽音信号に付与される効果を指定するための効果指定信号ＥＦなどを楽音信号発生回路１６に供給する。楽音信号発生回路１６は、これらの音色指定信号ＴＣ、効果指定信号ＥＦなどに基づいて、発生する楽音信号の音色、効果などを制御する。
【００２２】
次に、押離鍵処理プログラムについて詳しく説明する。押離鍵処理プログラムの実行は
図５のステップＳ１０にて開始され、コンピュータ部１８は、ステップＳ１１〜Ｓ１８からなる処理を繰り返し実行する。ステップＳ１１においては、鍵番号ＫＮ（ＫＮ＝１，２，３，・・・１２７）が順次更新される。鍵番号ＫＮは、鍵盤１１の複数の鍵２２のいずれかを指定するもので、この鍵番号ＫＮの更新により、各鍵２２が順番に繰り返し指定される。このステップＳ１１の処理後、コンピュータ部１８は、ステップＳ１２〜Ｓ１４にて、鍵番号ＫＮによって指定される鍵２２の押離鍵に伴う第１スイッチ３４ｂ及び第２スイッチ３４ｃの状態変化を検出する。鍵番号ＫＮによって指定される鍵２２が押離鍵操作されることなく、スイッチ部材３４の状態が変化しなければ、コンピュータ部１８はステップＳ１２〜Ｓ１４にてそれぞれ「Ｎｏ」と判定して、ステップＳ１１の鍵番号ＫＮの更新処理を繰り返し実行する。
【００２３】
鍵番号ＫＮによって指定される鍵２２が押鍵操作されて、鍵２２に対応したスイッチ部材３４の第１スイッチ３４ｂがオフ状態からオン状態に変化すると、コンピュータ部１８はステップＳ１２にて「Ｙｅｓ」と判定し、ステップＳ１５にて鍵番号ＫＮに関する時間計測を開始する。すなわち、鍵番号ＫＮによって指定される時間計測値ＴＭ（ＫＮ）が「０」にクリアされ、以降、タイマ１８ｂの制御の下、時間計測値ＴＭ（ＫＮ）が所定の短時間ごとに順次カウントアップされる。その後も、鍵番号ＫＮによって指定される鍵２２の押鍵が続行されて、鍵２２に対応したスイッチ部材３４の第２スイッチ３４ｃがオフ状態からオン状態に変化すると、コンピュータ部１８は、ステップＳ１３にて「Ｙｅｓ」と判定し、ステップＳ１６にて後述の音量変換テーブルを参照して、鍵番号ＫＮによって指定される時間計測値ＴＭ（ＫＮ）に対応した音量制御値ＶＯＬを決定する。
【００２４】
音量変換テーブルは、鍵番号ＫＮごとにそれぞれ専用に設定され、ＲＯＭ１８ｃ内に用意されている。または、音量変換テーブルを記憶装置１９内に用意しておき、電源投入時ＲＡＭ１８ｄ内に転送して記憶されている。音量変換テーブルは、スイッチ部材３４によって計測した時間計測値ＴＭ（ＫＮ）と楽音信号発生回路１６に供給する音量制御値ＶＯＬとの対応表で、全鍵域において、押鍵速度ＶＥＬが同じであれば、同じ音量の楽音信号が発生されるように鍵番号ＫＮごとに調整されている。そのため、音量変換テーブルは、図６に示すように、鍵番号ＫＮごとに特有の変化特性を有する。具体的には、時間計測値ＴＭ（ＫＮ）が小さくなるに従って、音量制御値ＶＯＬは大きな値となる。また、時間計測値ＴＭ（ＫＮ）が同一であれば、鍵番号ＫＮが大きいほど音量制御値ＶＯＬは大きな値となる。
【００２５】
なお、すべての鍵２２についてではなく、所定の鍵域ごとに前記のような音量変換特性を用意しておき、各鍵２２の音量制御値ＶＯＬを線形補間により求めるようにしてもよい。すなわち、複数の鍵２２を所定数ずつ（例えばオクターブごと）複数のグループに分け、各グループ内の代表的な鍵２２の音量変換テーブルをＲＯＭ１８ｃ内に用意しておく。または、前記のような音量変換テーブルを記憶装置１９内に用意しておき、電源投入時に記憶装置１９からＲＡＭ１８ｄ内に転送して記憶しておいてもよい。そして、各グループの代表的な鍵２２の間に位置する鍵２２の音量制御値ＶＯＬについては、代表的な鍵２２の音量変換テーブルを用いて、線形補間により求める。これによれば、音量変換テーブルのための記憶容量を大幅に削減できる。
【００２６】
そして、ステップＳ１７において、コンピュータ部１８は、鍵番号ＫＮによって指定される鍵２２の鍵音高を表すピッチデータＰＴ、鍵２２が押鍵されたことを表すキーオン信号ＫＯＮ及び前記計算した音量制御値ＶＯＬを楽音信号発生回路１６に供給する。楽音信号発生回路１６は、ピッチデータＰＴで指定された音高の周波数で、音色指定信号ＴＣで指定された音色の音源波形を生成し、この音源波形に対し、前述の効果指定信号ＥＦに基づいて効果を付与する。そして、音量制御値ＶＯＬが小さくなるに従って、生成された音源波形の振幅が小さくなるように減少させて、サウンドシステム１７に楽音信号を供給する。サウンドシステム１７は、前記供給された楽音信号に対応した楽音を放音する。
【００２７】
一方、前記押鍵操作されていた鍵２２、すなわち鍵番号ＫＮによって指定される鍵２２が離鍵されると、鍵２２に対応したスイッチ部材３４の第１スイッチ３４ｂがオン状態からオフ状態に変化する。この変化に応答して、コンピュータ部１８は、ステップＳ１４にて「Ｙｅｓ」と判定し、ステップＳ１８にて楽音信号の生成を終了するよう制御する。すなわち、コンピュータ部１８は、楽音信号発生回路１６にキーオフ信号ＫＯＦを出力する。すると、楽音信号発生回路１６にて生成される楽音信号は減衰し、その後消滅する。よってサウンドシステム１７から放音される楽音も、鍵２２の離鍵に応答して減衰し、その後消滅する。
【００２８】
上記実施形態によれば、鍵番号ＫＮに応じて、音量変換テーブルを選択的に変更することができるので、各鍵２２に対するスイッチ部材３４の位置を鍵域によって異ならせたとしても、全鍵域において、同じ押鍵速度ＶＥＬに対する発生楽音の音量を同一の音量に揃えることができる。したがって、アコースティックピアノに近似した鍵タッチ感を得ることができ、演奏者の意図したとおりの演奏が可能になる。
【００２９】
さらに、本発明の実施にあたっては、上記実施形態に限定されるものではなく、本発明の目的を逸脱しない限りにおいて種々の変更が可能である。
【００３０】
例えば、上記実施形態においては、スイッチ部材３４は２つのスイッチ（第１スイッチ３４ｂ及び第２スイッチ３４ｃ）で構成した。しかし、これに代えて、スイッチ部材をさらに多くのスイッチ（３つ以上）で構成してもよい。例えばスイッチ部材を押鍵操作に伴って第１スイッチ、第２スイッチ及び第３スイッチの順にオンする３つのスイッチで構成した場合、上記実施形態と同様の押離鍵処理プログラムにより、コンピュータ部１８は、第２スイッチがオンした時点から時間計測を開始し、第３スイッチがオンしたとき時間計測を終了する。この時間計測値と発生楽音の音量の関係を、鍵２２ごとに予め音量変換テーブルとしてＲＯＭ１８ｃ内に用意しておく。または、前記のような音量変換テーブルを記憶装置１９内に用意しておき、電源投入時に記憶装置１９からＲＡＭ１８ｄ内に転送して記憶しておく。また、離鍵操作により、第１スイッチがオフした時点で、コンピュータ部１８がキーオフ信号ＫＯＦを楽音信号発生回路１６に出力するようにする。このように構成しても、上記実施形態と同様の動作及び効果が得られる。
【００３１】
また、上記実施形態においては、押鍵速度ＶＥＬが同じであれば、全鍵域において発生される楽音の音量が同一となるように、予め音量変換テーブルを作成して、ＲＯＭ１８ｃ内に用意しておいた。または、前記のような音量変換テーブルを予め記憶装置１９内に用意しておき、電源投入時に記憶装置１９からＲＡＭ１８ｄ内に転送して記憶しておいた。しかし、これに代えて、同じ押鍵速度ＶＥＬ（すなわち鍵２２の前端の移動速度）であっても、高音側より低音側の音量が小さくなるような音量変換テーブルを予め作成して、ＲＯＭ１８ｃ内に用意しておいてもよい。または、前記のような音量変換テーブルを予め記憶装置１９内に用意しておき、電源投入時に記憶装置１９からＲＡＭ１８ｄ内に転送して記憶しておいてもよい。すなわち、鍵番号ＫＮがｍ（ｍ＝０,１,・・・１２６）の音量変換特性については、図７に示すように、全鍵域について同一の押鍵速度ＶＥＬであれば音量が同一になるように設定した場合（図示Ａ）に対し、時間計測値ＴＭ（ＫＮ）軸に沿って音量変換特性を高音側に比べて低音側を大きく左側（原点側）へ平行移動させる（図示Ｂ）。具体的には、平行移動量を低音側ほど大きくし、最高音（ｍ＝１２７）の音量変換特性は移動させない。また、逆に、鍵番号ＫＮがｍ（ｍ＝１，２,・・・１２７）の音量変換特性については、全鍵域について同一の押鍵速度ＶＥＬであれば音量が同一になるように設定した場合に対し、時間計測値ＴＭ（ＫＮ）軸に沿って音量変換特性を低音側に比べて高音側を大きく右側へ平行移動させてもよい。この場合、平行移動量は高音側ほど大きくし、最低音（ｍ＝０）の音量変換特性は移動させない。さらに、中間部の鍵２２の音量変換特性を移動させずに、この鍵２２より低音側の鍵２２についての音量変換特性を、低音側ほど大きく時間計測値ＴＭ（ＫＮ）軸に沿って左側へ移動させ、高温側の鍵２２についての音量変換特性を、高音側ほど大きく時間計測値ＴＭ（ＫＮ）軸に沿って右側へ移動させてもよい。これによれば、演奏者に対し、低音部の鍵が高音部の鍵に比べて、より重くなったように感じさせることができ、よりアコースティックピアノに近い鍵タッチ感を実現することができる。さらに、すべての鍵２２についてではなく、所定の鍵域ごとに前記のような音量変換特性を用意しておき、各鍵２２の音量制御値ＶＯＬを線形補間により求めるようにしてもよい。これによれば、よりアコースティックピアノに近い鍵タッチ感を実現するとともに、音量変換テーブルのための記憶容量を大幅に削減できる。
【００３２】
また、隣り合う複数の鍵２２のように理想的な音量変換特性が近似する鍵２２については、代表的な鍵２２に対する音量変換特性を予め記憶しておき、他の鍵２２については、代表的な鍵２２の音量変換特性に対するシフト量、傾き補正量などを予めＲＯＭ１８ｃ内に用意しておく。または、これらのシフト量、傾き補正量などを記憶装置１９内に用意しておき電源投入時に記憶装置１９からＲＡＭ１８ｄ内に転送して記憶しておく。そして、これらを用いて、他の鍵２２の音量変換特性を演算処理により求めるようにしてもよい。ここで、シフト量とは、代表的な鍵２２の音量変換特性について、音量制御値ＶＯＬを全体的に増減するための値である。また、傾き補正量とは、代表的な鍵２２の音量変換特性について、時間計測値ＴＭ（ＫＮ）の増加に対し音量制御値ＶＯＬが変化する割合を補正するための値である。このように構成しても、アコースティックピアノに近似した鍵タッチ感を得ることができ、演奏者の意図したとおりの演奏が可能になる。
【００３３】
また、時間計測値ＴＭ（ＫＮ）から押鍵速度ＶＥＬを求め、押鍵速度ＶＥＬに基づいて音量制御値ＶＯＬを求めるようにしてもよい。上述のように、スイッチ部材３４の配置の違いにより、押鍵速度ＶＥＬが同じであっても、すなわち鍵２２の前端の移動速度が同じであっても、時間計測値ＴＭ（ＫＮ）は鍵域によって異なる。したがって、上記実施形態における音量変換テーブルと同様に、予め鍵２２ごとに時間計測値ＴＭ（ＫＮ）と押鍵速度ＶＥＬの関係を押鍵速度変換テーブルとしてＲＯＭ１８ｃ内に用意しておく。または、前記の押鍵速度変換テーブルを記憶装置１９に用意しておき、電源投入時に記憶装置１９からＲＡＭ１８ｄ内に転送して記憶しておく。これを用いて、押鍵時に時間計測値ＴＭ（ＫＮ）から各鍵２２の押鍵速度ＶＥＬを求める。全鍵域について、押鍵速度ＶＥＬが同じであれば音量制御値ＶＯＬが同じになるようにするには、押鍵速度ＶＥＬと音量制御値ＶＯＬの関係を定めた音量変換テーブルを一つ用意しておき、いずれの鍵２２についても、この音量変換テーブルに基づいて、押鍵速度ＶＥＬから音量制御値ＶＯＬを求めるようにすればよい。また、図８に示すように、鍵２２ごとに押鍵速度ＶＥＬ（ＫＮ）と音量制御値ＶＯＬの関係を定めた音量変換テーブルを予めＲＯＭ１８ｃ内に用意しておく。または、この音量変換テーブルを記憶装置１９に用意しておき、電源投入時に記憶装置１９からＲＡＭ１８ｄ内に転送して記憶しておく。これにより、低音側ほど押鍵速度ＶＥＬ（ＫＮ）に対する音量制御値ＶＯＬを小さくすることもできる。このように構成しても、上記実施形態及び変形例と同様の動作及び効果が得られる。
【００３４】
また、上記実施形態においては、音量制御値ＶＯＬにより、発生楽音の音量を制御するようにした。これに加えて、音量制御値ＶＯＬに基づいて、発生楽音の音量以外の楽音特性（例えば、ピッチ、周波数特性、効果など）も制御するようにしてもよい。これによれば、音量制御値ＶＯＬに応じて、音量以外の楽音特性も変化させることができ、豊かな表現力をもった演奏が可能となる。
【図面の簡単な説明】
【００３５】
【図１】本発明の実施形態に係る電子楽器の全体構成例を示すブロック図である。
【図２】図１の鍵盤の縦断側面図である。
【図３】図１の鍵盤のスイッチ部材の配置を示す図である。
【図４】図１の鍵盤のスイッチ部材の詳細断面図である。
【図５】図１のコンピュータ部で実行される押離鍵処理プログラムを示すフローチャートである。
【図６】スイッチ部材による時間計測値と音量制御値との関係を示すグラフである。
【図７】高音側に比べ低音側の音量を小さくする方法を説明した図である。
【図８】押鍵速度と音量制御値との関係を示すグラフである。
【符号の説明】
【００３６】
１１…鍵盤、１６…楽音信号発生回路、１８…コンピュータ部、２２…鍵、３４…スイッチ部材、３４ｂ       …第１スイッチ、３４ｃ…第２スイッチ、ＫＮ…鍵番号、ＴＭ（ＫＮ）…
時間計測値、ＶＯＬ…音量制御値、ＶＥＬ…押鍵速度
【図１】
2010039104.tif 000003
【図２】
2010039104.tif 000004
【図３】
2010039104.tif 000005
【図４】
2010039104.tif 000006
【図５】
2010039104.tif 000007
【図６】
2010039104.tif 000008
【図７】
2010039104.tif 000009
【図８】
2010039104.tif 000010